(57)【要約】【課題】塵芥収集車において、強度低下をできるだけ抑制しながら平板状の大きな透明板を塵芥収容箱の側壁に設ける。【解決手段】塵芥収容箱の側壁４ａは、側方窓部４ｂに対応する側方開口２０ａを有し、この側方開口２０ａの上下に膨出部２０ｂ，２０ｃが形成され、側方開口２０ａの前後は、湾曲するように折り曲げられたアウターパネル２０と、アウターパネル２０の膨出部２０ｂの裏側に間隔を空けて貼り付けられて閉断面を形成するインナーパネル２１と、側方開口２０ａの前後に上下の膨出部２０ｂと略面一となるように貼り付けられる補強部材２３と、側方開口２０ａの周縁に嵌め込まれる枠部材２４と、枠部材２４に取り付けられる平板状の側方透明板１２とを設ける。【選択図】図４
2019077532.tif 000002
【特許請求の範囲】
【請求項１】
少なくとも一部の壁部に透明な窓部を有する塵芥収集車において、
車台と、
上記車台に載置され、少なくとも一部に窓部を有する塵芥収容箱と、
上記塵芥収容箱の後方開口部に連設され、該後方開口部から塵芥収容箱に塵芥を押し込む塵芥積込装置を備えた塵芥投入箱とを備えており、
上記塵芥収容箱の側壁は、
上記窓部に対応する側方開口を有し、該側方開口の上下に膨出部が形成され、該側方開口の前後は、湾曲するように折り曲げられた側方内側壁部を有するアウターパネルと、
上記アウターパネルの上記膨出部の裏側に間隔を空けて貼り付けられて閉断面を形成するインナーパネルと、
上記側方開口の前後の上記側方内側壁部に上記上下の膨出部と略面一となるように貼り付けられる補強部材と、
上記側方開口の周縁に嵌め込まれる枠部材と、
上記枠部材に取り付けられる平板状の透明板とを備えている
ことを特徴とする塵芥収集車。
【請求項２】
請求項１に記載の塵芥収集車において、
上記塵芥投入箱の上記塵芥積込装置が内部に内蔵された左右側壁を覆うサイドカバーにも、平板状の透明板が設けられており、
上記塵芥投入箱の左右側壁の上記後方開口部の近傍にも、平板状の透明板が設けられている
ことを特徴とする塵芥収集車。
【請求項３】
少なくとも一部の壁部に透明な窓部が形成された塵芥収容箱を有する塵芥収集車の製造方法において、
板状のアウターパネルに上記窓部に対応する側方開口を開口させると共に、該側方開口の上下に膨出部を折り曲げ形成し、かつ該側方開口の前後に湾曲した側方内側壁部を形成し、
上記膨出部の裏側から上記側方開口の前後周縁の側方内側壁部と連続するようにインナーパネルを貼り付け、
上記側方開口の前後の上記側方内側壁部に上記膨出部と連続するように補強部材を表側から貼り付け、
上下の上記膨出部及び前後の上記補強部材で囲まれた上記側方開口の周縁に枠部材を嵌め込み、
上記枠部材に平板状の透明板を取り付ける
ことを特徴とする塵芥収集車の製造方法。
【請求項４】
請求項３に記載の塵芥収集車の製造方法において、
上記枠部材を上下の膨出部の水平な面に溶接する
ことを特徴とする塵芥収集車の製造方法。
【請求項５】
請求項４に記載の塵芥収集車の製造方法において、
上記枠部材の裏側から上記透明板を取り付ける
ことを特徴とする塵芥収集車の製造方法。
【発明の詳細な説明】
【技術分野】
【０００１】
本発明は、学習用の出前授業等で利用される内部が見える塵芥収集車及びその製造方法に関する。
【背景技術】
【０００２】
従来より、塵芥収集車の中身について知ってもらったり、ごみ問題を身近なこととして考えてもらうために、内部が見えるようにした、いわゆるスケルトン塵芥収集車が知られている。このスケルトン塵芥収集車では、塵芥収容箱の側壁等に透明なアクリル板等を設けて内部に塵芥が押し込まれる様子を見学できるようになっている。
【０００３】
ところで、特許文献１のように、塵芥収容箱の断面が二重構造となった塵芥収集車がある。この塵芥収集車は比較的大型なので、塵芥収容箱の側壁の剛性を高めるために閉断面を形成している。
【０００４】
一方で、特許文献１よりも小型の塵芥収集車の塵芥収容箱は、内部容積を増やすと共に、見た目をよくするために、側壁は一重で湾曲した形状となっている（例えば、特許文献２参照）。
【先行技術文献】
【特許文献】
【０００５】
【特許文献１】特開２００５−３１４０５８号公報
【特許文献２】特開平９−２０４０１号公報
【発明の概要】
【発明が解決しようとする課題】
【０００６】
しかしながら、特許文献１の塵芥収容箱のような補強部を構成する上中下段のビードを設けたままにして窓部を上下に分けてしまうと、内部が見にくくなる上、各ビードが湾曲した断面のため、内部を見やすくするための平坦な透明なアクリル板等を設けにくい。
【０００７】
また、特許文献２のような塵芥収集車の構成でも、塵芥収容箱の側壁が板状の湾曲した鋼板で構成されているので、平坦な透明なアクリル板等を設けにくい。しかも、窓部を大きくすると、その分だけ補強が必要になる。
【０００８】
本発明は、かかる点に鑑みてなされたものであり、その目的とするところは、強度低下をできるだけ抑制しながら平板状の大きな透明板を塵芥収容箱の側壁に容易に設けることにある。
【課題を解決するための手段】
【０００９】
上記の目的を達成するために、この発明では、湾曲した塵芥収容箱の側壁に閉断面を形成し、その閉断面で囲まれた領域に窓部を設けた。
【００１０】
具体的には、第１の発明では、少なくとも一部の壁部に透明な窓部を有する塵芥収集車を前提とし、
上記塵芥収集車は、
車台と、
上記車台に載置され、少なくとも一部に窓部を有する塵芥収容箱と、
上記塵芥収容箱の後方開口部に連設され、該後方開口部から塵芥収容箱に塵芥を押し込む塵芥積込装置を備えた塵芥投入箱とを備えており、
上記塵芥収容箱の側壁は、
上記窓部に対応する側方開口を有し、該側方開口の上下に膨出部が形成され、該側方開口の前後は、湾曲するように折り曲げられた側方内側壁部を有するアウターパネルと、
上記アウターパネルの上記膨出部の裏側に間隔を空けて貼り付けられて閉断面を形成するインナーパネルと、
上記側方開口の前後の上記側方内側壁部に上記上下の膨出部と略面一となるように貼り付けられる補強部材と、
上記側方開口の周縁に嵌め込まれる枠部材と、
上記枠部材に取り付けられる平板状の透明板とを備えている。
【００１１】
上記の構成によると、アウターパネルとインナーパネルとで窓部の周りに閉断面が形成されるので、窓部を形成したことによる強度低下が抑制される。また、膨出部を設けたことによる内面の凹凸をインナーパネルで覆うことで、塵芥が引っ掛からず、塵芥積込装置による塵芥の積み込みを阻害しない。また、側方開口の前後に補強部材を設けて膨出部と略面一とすることで、外観が向上すると共に、この部分でも閉断面を構成できるので、窓部を設けたことによる強度低下を抑制できる。さらに、平板状の透明板を枠部材に取り付けるので、取付が容易であり、また、透明板が湾曲していないので、内部がゆがんで見えることはない。
【００１２】
第２の発明では、第１の発明において、
上記塵芥投入箱の上記塵芥積込装置が内部に内蔵された左右側壁を覆うサイドカバーにも、平板状の透明板が設けられており、
上記塵芥投入箱の左右側壁の上記後方開口部の近傍にも、平板状の透明板が設けられている。
【００１３】
上記の構成によると、塵芥投入箱の側壁外側における油圧シリンダ等の動きを見ることができるだけでなく、塵芥が後方開口部を通って塵芥収容箱の内部に押し込まれる様子を見ることができる。
【００１４】
第３の発明では、少なくとも一部の壁部に透明な窓部が形成された塵芥収容箱を有する塵芥収集車の製造方法において、
板状のアウターパネルに上記窓部に対応する側方開口を開口させると共に、該側方開口の上下に膨出部を折り曲げ形成し、かつ該側方開口の前後に湾曲した側方内側壁部を形成し、
上記膨出部の裏側から上記側方開口の前後周縁の側方内側壁部と連続するようにインナーパネルを貼り付け、
上記側方開口の前後の上記側方内側壁部に上記膨出部と連続するように補強部材を表側から貼り付け、
上下の上記膨出部及び前後の上記補強部材で囲まれた上記側方開口の周縁に枠部材を嵌め込み、
上記枠部材に平板状の透明板を取り付ける。
【００１５】
上記の構成によると、アウターパネルが膨出部等のプレス成形及び側方開口の切り抜きで容易に成形される。また、膨出部の裏側からインナーパネルを貼り付けることで、窓部周縁の強度を保つ閉断面が形成される。さらに、補強部材を側方開口の前後に設けることで、膨出部と連続した表面が形成され、また、それにより、上下の膨出部と前後の補強部材とで囲まれた窓部に枠部材を嵌め込むことができ、この枠部材に平板状の透明板を容易に取り付けることができる。
【００１６】
第４の発明では、第３の発明において、
上記枠部材を上下の膨出部の水平な面に溶接する。
【００１７】
上記の構成によると、枠部材の溶接が容易で、この枠部材に平板状の透明板を容易に取り付けることができる。
【００１８】
第５の発明では、第４の発明において、
上記枠部材の裏側から上記透明板を取り付ける。
【００１９】
上記の構成によると、水平な面を滑らせるようにして透明板を取り付けやすい。
【発明の効果】
【００２０】
以上説明したように、本発明によれば、強度低下をできるだけ抑制しながら平板状の大きな透明板を塵芥収容箱の側壁に設けることができる。
【図面の簡単な説明】
【００２１】
【図１】本発明の実施形態に係る塵芥収集車を示す側面図である。
【図２】塵芥収容箱の側壁を示す側面図である。
【図３】塵芥収容箱を示す正面図である。
【図４】（ａ）は図２のIVa−IVa線端面図であり、（ｂ）は図２のIVb−IVb線端面図である。
【図５】図２のＶ−Ｖ線断面図である。
【図６】前側補強部材を示す図であって、（ａ）は側面図、（ｂ）は端面図である。
【図７】後側補強部材を示す図であって、（ａ）は側面図、（ｂ）は端面図である。
【発明を実施するための形態】
【００２２】
以下、本発明の実施形態を図面に基づいて説明する。
【００２３】
図１は、本発明の実施形態の塵芥収集車１を示し、この塵芥収集車１は、内部が見えるようにした、いわゆるスケルトン塵芥収集車である。この塵芥収集車１は、走行可能な車台２を備え、前側に運転室３がある。車台２には、少なくとも一部に窓部を有する塵芥収容箱４が載置されている。この塵芥収容箱４の後端に設けた後方開口部５には、その開口縁に沿って角パイプ状の開口枠部５ａが形成されている。また、後方開口部５には、塵芥投入箱６が開閉シリンダ７によって開閉可能に設けられている。塵芥投入箱６の後端に塵芥を投入する投入口（図示せず）が開閉可能に設けられている。塵芥投入箱６の左右側壁６ａには、内部の塵芥積込装置の一部である摺動シリンダ８が設けられている。詳しくは図示しないが、この塵芥積込装置は、例えば、摺動シリンダ８で上下に昇降される摺動板と、塵芥を後方開口部５側に押し込む押込板とを備えている。塵芥収容箱４の内部には、塵芥を排出するために前後に移動可能な排出板９が設けられている。
【００２４】
塵芥投入箱６の左右側壁６ａは、例えば、樹脂製のサイドカバー６ｂで開閉可能に覆われており、このサイドカバー６ｂの大部分は切り欠かれて側面視で略Ｄ字状の投入箱外側窓部６ｃが形成され、この投入箱外側窓部６ｃに平坦な投入箱外側透明板１０が嵌め込まれている。これにより、開閉シリンダ７、摺動シリンダ８等の動きを見ることができるようになっている。
【００２５】
また、左右側壁６ａは、通常、鋼板で構成されているが、この左右側壁６ａにおける後方開口部５の近傍にも、例えば側面視で台形状の投入箱内側窓部６ｄが形成されており、この投入箱内側窓部６ｄに平板状の投入箱内側透明板１１が取り付けられている。
【００２６】
そして、塵芥収容箱４の側壁４ａにも側方窓部４ｂが設けられており、この側方窓部４ｂには、大きな側方透明板１２が取り付けられている。この詳しい構造については、後述する。
【００２７】
図３に示すように、塵芥収容箱４の正面壁部４ｃの左側にも、正面窓部４ｄが設けられている。この正面窓部４ｄにも板状の正面側透明板１３が貼り付けられている。これらの透明板１０〜１３は、例えば、厚さ３ｍｍ〜５ｍｍの平坦で、色彩がクリアのポリカーボネート樹脂板で構成され、ハードコートを施され、周縁裏側は黒色印刷されているのが望ましいが、それに限定されない。なお、本実施形態では、塵芥収容箱４の正面右側は、不透明な板部材１４で塞がれているが、逆にこちら側に正面側透明板１３が設けられていてもよく、両方に設けられていてもよい。
【００２８】
次いで、側方窓部４ｂの構成について、詳細に説明する。図２及び図４に示すように、塵芥収容箱４の側壁４ａは、側方窓部４ｂに対応する側方開口２０ａを有するアウターパネル２０を備えている。このアウターパネル２０は、例えば板状の鋼板よりなり、例えば台形状の側方開口２０ａの上下に膨出部２０ｂ，２０ｃが形成されている。膨出部２０ｂ，２０ｃは、塵芥投入箱６の湾曲形状に合わせて角部が湾曲している。上下の膨出部２０ｂ，２０ｃは、側方開口２０ａを形成する前後に延びる互いに略平行な枠取付用水平平坦面２０ｄを備えている。側方開口２０ａの前後は、湾曲するように折り曲げられた側方内側壁部２０ｅが形成されている。
【００２９】
アウターパネル２０の上下の膨出部２０ｂ，２０ｃの裏側には、側方内側壁部２０ｅと略面一となるように左右内側に間隔を空けてインナーパネル２１が溶接等により貼り付けられている。これにより、インナーパネル２１と、アウターパネル２０とで上下の膨出部２０ｂ，２０ｃにおいて閉断面が形成されている。なお、下側のインナーパネル２１は、前後に延びる、排出板９のガイドフレーム２２に連結されていてもよい。
【００３０】
一方、図４でも示したように、側方内側壁部２０ｅは、上下中央が湾曲している。図５に示すように、この湾曲した側方内側壁部２０ｅの表面側を覆うように、上下方向に延びる補強部材２３が溶接されている。この補強部材２３は、前側の側方内側壁部２０ｅを覆う前側補強部材２５と後側の側方内側壁部２０ｅを覆う後側補強部材２６とを有する。前側補強部材２５と後側補強部材２６は、それぞれの主面２５ａ，２６ａが
上下の膨出部２０ｂ，２０ｃと略面一となるように貼り付けられている。
【００３１】
前側補強部材２５は、図２、図５及び図６に示すように、主面２５ａの側方開口２０ａ側の上下方向縁に連設される枠取付用垂直平坦面２５ｂと、主面２５ａの側方開口２０ａと反対側の上下方向縁に連設される傾斜面２５ｃとを有する。前側補強部材２５は、主面２５ａと枠取付用垂直平坦面２５ｂと傾斜面２５ｃとで断面略コの字状に形成され、前側の側方内側壁部２０ｅとの間で上下方向に延びる閉断面を形成している。
【００３２】
また、後側補強部材２６は、上下方向へ斜めに延びるように形成されている。後側補強部材２６は、主面２６ａの側方開口２０ａ側の上下方向縁に連設される枠取付用傾斜平坦面２６ｂを有する。後側補強部材２６は、主面２６ａと枠取付用傾斜平坦面２６ｂとで断面略Ｌ字状に形成され、後側の側方内側壁部２０ｅ及び開口枠部５ａとの間で上下方向に延びる閉断面を形成している。
【００３３】
上述の前側補強部材２５及び後側補強部材２６は、例えば１枚の鋼板を折り曲げ形成すればよい。
【００３４】
そして、このように形成された側方開口２０ａの周縁の枠取付用水平平坦面２０ｄ、枠取付用垂直平坦面２５ｂ及び枠取付用傾斜平坦面２６ｂに枠部材２４が嵌め込まれている。具体的には、枠部材２４は、例えば側方開口２０ａに沿った台形状に矩形断面の棒鋼を溶接したもので、所定の間隔でネジ穴加工が施されている。
【００３５】
この枠部材２４に裏側から平板状の側方透明板１２が例えばボルト２４ｂにより取り付けられている。
【００３６】
なお、塵芥収容箱４及び塵芥投入箱６の内部部品は、動きを見やすくするためにそれぞれ異なる色彩を施してもよい。また、側方窓部４ｂの上方の膨出部２０ｂに看板２５を設けてもよい。
【００３７】
次に、本実施形態に係る塵芥収集車１の製造方法について説明する。
【００３８】
まず、例えば１枚の鋼板に窓部に対応する側方開口２０ａを開口させると共に、この側方開口２０ａの上下に膨出部２０ｂ，２０ｃを折り曲げ形成してアウターパネル２０を形成する。例えば、厚さ約３ｍｍの鋼板をプレス機械で折り曲げ、側方開口２０ａの部分を切り抜く。
【００３９】
次いで、膨出部２０ｂ，２０ｃの裏側から側方開口２０ａの前後周縁の側方内側壁部２０ｅと連続するようにインナーパネル２１を貼り付ける。インナーパネル２１も例えば厚さ約３ｍｍの折り曲げ鋼板を予め側方内側壁部２０ｅと連続するような曲面状に折り曲げ形成しておき、溶接等にてアウターパネル２０に溶接するとよい。
【００４０】
次いで、図２及び図５に示すように、側方開口２０ａの前後の側方内側壁部２０ｅ、膨出部２０ｂ，２０ｃと連続するように補強部材２３（前側補強部材２５、後側補強部材２６）を表側から貼り付ける。補強部材２３も例えば厚さ約３ｍｍの鋼板を予め折り曲げ形成しておき、側方内側壁部２０ｅの表面側から嵌め込んで溶接するとよい。このとき、できるだけ上下の膨出部２０ｂ，２０ｃの表面と、補強部材２３の表面とが面一となるようにすると見映えがよい。
【００４１】
次いで、上下の膨出部２０ｂ，２０ｃ及び前後の補強部材２３（前側補強部材２５、後側補強部材２６）で囲まれることにより側方開口２０ａの周縁に形成された枠取付用水平平坦面２０ｄ、枠取付用垂直平坦面２５ｂ及び枠取付用傾斜平坦面２６ｂに枠部材２４を嵌め込む。枠部材２４は、例えば４本の鋼板を溶接で組み付けてネジ穴２４ａを設けておくとよい。嵌め込んだ後の枠部材２４と枠取付用水平平坦面２０ｄ、枠取付用垂直平坦面２５ｂ及び枠取付用傾斜平坦面２６ｂとは溶接で結合するとよい。このとき、これらの平坦面２０ｄ，２５ｂ，２６ｂが、枠部材２４の取付方向（車両の車幅方向）に相互に平行かつ枠部材２４の厚みよりも当該取付方向に十分大きな幅があるので、枠部材２４を滑らせながら嵌め込んで位置決めしやすく、溶接もしやすい。
【００４２】
次いで、枠部材２４に平板状の側方透明板１２を裏面側から取り付ける。上述したように枠部材２４に予めネジ穴２４ａを設けておけば、ボルト２４ｂを締結するだけで側方透明板１２を確実に固定できる。また、枠部材２４の内面が面一になっていれば、平坦な側方透明板１２を取り付けやすい。
【００４３】
このように本実施形態では、アウターパネル２０が膨出部２０ｂ等のプレス成形及び側方開口２０ａの切り抜きで容易に成形される。また、膨出部２０ｂの裏面側からインナーパネル２１を貼り付けることで、側方窓部４ｂ前後方向の強度を保つ閉断面が形成される。さらに、補強部材２３を側方開口２０ａの前後に設けることで、膨出部２０ｂ，２０ｃと連続した表面が形成され、また、それにより、上下の膨出部２０ｂ，２０ｃと前後の補強部材２３（前側補強部材２５、後側補強部材２６）とで囲まれた窓部に枠部材２４を嵌め込むことができ、この枠部材２４に平板状の側方透明板１２を容易に取り付けることができる。
【００４４】
本実施形態では、アウターパネル２０とインナーパネル２１とで側方窓部４ｂの周りに閉断面が形成されるので、側方窓部４ｂを形成したことによる強度低下が抑制される。
【００４５】
また、膨出部２０ｂ，２０ｃを設けたことによる内面の凹凸をインナーパネル２１で覆うことで、塵芥が引っ掛からず、塵芥積込装置による塵芥の積み込みを阻害しない。
【００４６】
さらに、側方開口２０ａの前後に補強部材２３を設けて膨出部２０ｂ，２０ｃと略面一とすることで、外観が向上すると共に、この部分でも閉断面を構成できるので、側方窓部４ｂを設けたことによる強度低下を抑制できる。
【００４７】
また、平板状の側方透明板１２を平坦な裏面を有する枠部材２４に取り付けるので、取付が容易であり、また、側方透明板１２が湾曲していないので、内部がゆがんで見えることはない。
【００４８】
また本実施形態では、枠部材２４を枠取付用水平平坦面２０ｄ、枠取付用垂直平坦面２５ｂ及び枠取付用傾斜平坦面に溶接するようにしたので、枠部材２４の溶接が容易で、この枠部材２４に平板状の側方透明板１２を取り付けることができる。
【００４９】
また、塵芥投入箱６においても投入箱外側窓部６ｃ及び投入箱内側窓部６ｄを設けているので、塵芥投入箱６の左右側壁６ａの外側における開閉シリンダ７、摺動シリンダ８等の動きを見ることができるだけでなく、塵芥が後方開口部５を通って塵芥収容箱４の内部に押し込まれる様子を見ることができる。
【００５０】
したがって、本実施形態に係る塵芥収集車１によると、強度低下をできるだけ抑制しながら平板状の大きな側方透明板１２を容易に設けることができる。
【００５１】
（その他の実施形態）
本発明は、上記実施形態について、以下のような構成としてもよい。
【００５２】
すなわち、上記実施形態では、投入箱外側透明板１０、投入箱内側透明板１１、側方透明板１２、正面側透明板１３を設けたが、少なくとも側方透明板１２が設けられていればよい。
【００５３】
また、上記実施形態では、側方透明板１２の形状を上辺と下辺とが略平行な台形状としたが、平行四辺形状としたり、投入箱外側透明板１０のような曲線を含む形状としてもよい。
【００５４】
なお、以上の実施形態は、本質的に好ましい例示であって、本発明、その適用物や用途の範囲を制限することを意図するものではない。
【符号の説明】
【００５５】
１      塵芥収集車
２      車台
３      運転室
４      塵芥収容箱
４ａ    側壁
４ｂ    側方窓部
４ｃ    正面壁部
４ｄ    正面窓部
５      後方開口部
５ａ    開口枠部
６      塵芥投入箱
６ａ    左右側壁
６ｂ    サイドカバー
６ｃ    投入箱外側窓部
６ｄ    投入箱内側窓部
７      開閉シリンダ
８      摺動シリンダ
９      排出板
１０      投入箱外側透明板
１１      投入箱内側透明板
１２      側方透明板
１３      正面側透明板
１４      板部材
２０      アウターパネル
２０ａ    側方開口
２０ｂ，２０ｃ  膨出部
２０ｄ    枠取付用水平平坦面
２０ｅ    側方内側壁部
２１      インナーパネル
２２      サイドフレーム
２３      補強部材
２４      枠部材
２４ａ    ネジ穴
２４ｂ    ボルト
２５      前側補強部材
２５ａ    主面
２５ｂ    枠取付用垂直平坦面
２５ｃ    傾斜面
２６      後側補強部材
２６ａ    主面
２６ｂ    枠取付用傾斜平坦面
【図１】
2019077532.tif 000003
【図２】
2019077532.tif 000004
【図３】
2019077532.tif 000005
【図４】
2019077532.tif 000006
【図５】
2019077532.tif 000007
【図６】
2019077532.tif 000008
【図７】
2019077532.tif 000009